(57)【要約】【課題】  電極表面近傍での土壌の乾燥を未然に防止することにより、土壌を安定して加温することができ、効率よく土壌の浄化を実行することが可能な土壌浄化装置および土壌浄化方法を提供する。【解決手段】  土壌中に挿入された複数の電極６１、６２、６３に電圧を印加することにより土壌を加熱する土壌加温装置を備えた土壌浄化装置であって、電極６１に設けられた温度センサ７３と、温度センサ７３により検出した温度が設定値まで上昇したときに、電極６１、６２、６３に印加する電圧をオフとするＯＮ／ＯＦＦ制御部１６と、を備える。【選択図】        図１
2020185554.tif 000002
【特許請求の範囲】
【請求項１】
土壌中に挿入された複数の電極に電圧を印加することにより土壌を加熱する土壌加温装置を備えた土壌浄化装置であって、前記土壌加温装置は、
前記電極に設けられた温度センサと、
前記電極に印加する電圧を制御する電圧制御部とを備え、
前記電圧制御部は、前記温度センサにより検出した温度が設定値まで上昇したときに、前記電極に印加する電圧を低下させる、
土壌浄化装置。
【請求項２】
請求項１に記載の土壌浄化装置において、
前記電圧制御部は、前記電極に印加する電圧を低下させた後、上昇させる土壌浄化装置。
【請求項３】
請求項２に記載の土壌浄化装置において、
前記電圧制御部は、前記温度センサにより検出した温度が設定値まで上昇したときに、前記電極に印加する電圧をオフとした後、再度、オンとする土壌浄化装置。
【請求項４】
請求項３に記載の土壌浄化装置において、
前記電圧制御部は、前記温度センサにより検出した温度が第１の設定値まで上昇したときに、前記電極に印加する電圧をオフとし、前記電極に印加する電圧をオフとした後、前記温度センサにより検出した温度が前記第１の設定値より小さい第２の設定値まで下降したときに、前記電極に印加する電圧をオンとする土壌浄化装置。
【請求項５】
土壌中に挿入された複数の電極に電圧を印加することにより土壌を加熱する土壌加温装置を備えた土壌浄化装置であって、前記土壌加温装置は、
前記土壌の含水率を測定する含水率センサと、
前記電極に印加する電圧を制御する電圧制御部とを備え、
前記電圧制御部は、前記含水率センサにより検出した土壌の含水率が設定値まで下降したときに、前記電極に印加する電圧を低下させる、
土壌浄化装置。
【請求項６】
請求項５に記載の土壌浄化装置において、
前記電圧制御部は、前記電極に印加する電圧を低下させた後、上昇させる土壌浄化装置。
【請求項７】
請求項６に記載の土壌浄化装置において、
前記電圧制御部は、前記含水率センサにより検出した土壌の含水率が設定値まで下降したときに、前記電極に印加する電圧をオフとした後、再度、オンとする土壌浄化装置。
【請求項８】
請求項７に記載の土壌浄化装置において、
前記電圧制御部は、前記含水率センサにより検出した土壌の含水率が第１の設定値まで下降したときに、前記電極に印加する電圧をオフとし、前記電極に印加する電圧をオフとした後、前記含水率センサにより検出した土壌の含水率が前記第１の設定値より大きい第２の設定値まで上昇したときに、前記電極に印加する電圧をオンとする土壌浄化装置。
【請求項９】
土壌中に挿入された複数の電極に電圧を印加することにより土壌を加熱する工程を含む土壌浄化方法であって、前記土壌を加熱する工程は、
前記電極の温度を測定する温度測定工程と、
前記温度測定工程において測定した前記電極の温度が設定値まで上昇したときに、前記電極に印加する電圧を低下させる電圧制御工程と、
を含む土壌浄化方法。
【請求項１０】
土壌中に挿入された複数の電極に電圧を印加することにより土壌を加熱する工程を含む土壌浄化方法であって、前記土壌を加熱する工程は、
前記土壌の含水率を測定する含水率測定工程と、
前記含水率測定工程において測定した土壌の含水率が設定値まで下降したときに、前記電極に印加する電圧を低下させる電圧制御工程と、
を含む土壌浄化方法。
【発明の詳細な説明】
【技術分野】
【０００１】
この発明は、土壌浄化装置および土壌浄化方法に関する。
【背景技術】
【０００２】
汚染された土壌を浄化する方法の一つとして、電気加温法がある。電気加温法は、電気エネルギーによって土壌を加温することにより、土壌から汚染物質を脱離させて浄化を行うものである。電気加温法によれば、土壌を掘削、搬出して浄化する方法と比較してコストが低く、また、汚染土壌の上に建築物等が存在する場合でも浄化が可能であり、さらには、薬剤注入では浄化が困難な難透水性土壌においても浄化が可能であるという利点がある。
【０００３】
電気加温法により土壌を浄化する土壌浄化装置においては、複数の電極を浄化対象となる土壌中に挿入し、電極間に電圧を印加してそれらの間の土壌に電流を流すことで、土壌の電気抵抗によりジュール熱を発生させて加温する。土壌の温度が上昇すると、土壌粒子に吸着しているテトラクロロエチレン、トリクロロエチレン、ジクロロエチレン、トリクロロエタン等のＶＯＣ（Ｖｏｌａｔｉｌｅ  Ｏｒｇａｎｉｃ  Ｃｏｍｐｏｕｎｄｓ／揮発性有機化合物）が土壌から脱離して地下水中に溶出する。この地下水を地上に汲み上げる揚水処理や、地下水からガス化したＶＯＣを含む地下ガスを吸引するガス吸引処理等を行うことで、ＶＯＣを土壌から除去して土壌の汚染を浄化することが可能となる。
【０００４】
特許文献１には、位相角制御により、浄化対象の土壌に挿入した電極間の電流をできるだけ均等にすることができるようにし、電源設備の利用効率を改善した土壌浄化装置が開示されている。
【先行技術文献】
【特許文献】
【０００５】
【特許文献１】特開２０１６−１５９２６０号公報
【発明の概要】
【発明が解決しようとする課題】
【０００６】
電気加温法により土壌を浄化するときには、土壌中に挿入された複数の電極に電圧を印加して土壌を加熱する。このとき、電極と土壌との間の接触抵抗により、電極表面が発熱し、電極表面の温度が土壌の温度より高くなる。土壌の比抵抗は土壌に含まれる水分により大きく変化するが、電極表面が高温になると電極付近の土壌が乾燥する。土壌が乾燥した場合には、土壌の比抵抗が急激に増加することで、電極間に流れる電流が低下する。土壌の乾燥により土壌の比抵抗が急激に増加する温度は、土壌の種類によって異なり、例えば、礫、砂等粒子が大きい土壌であれば摂氏１００度程度、また、シルト、粘土、ローム等粒子が小さい土壌であれば摂氏１２０度程度である。
【０００７】
そして、このような土壌の乾燥により電極間に流れる電流が低下すると、土壌を加温するのに必要な電力を土壌に印加することができなくなるという問題が生ずることを、この発明の発明者が見出した。
【０００８】
この発明は上記課題を解決するためになされたものであり、電極表面近傍での土壌の乾燥を未然に防止することにより、土壌を安定して加温することができ、効率よく土壌の浄化を実行することが可能な土壌浄化装置および土壌浄化方法を提供することを目的とする。
【課題を解決するための手段】
【０００９】
この発明の第１の態様は、土壌中に挿入された複数の電極に電圧を印加することにより土壌を加熱する土壌加温装置を備えた土壌浄化装置であって、前記土壌加温装置は、前記電極に設けられた温度センサと、前記電極に印加する電圧を制御する電圧制御部とを備え、前記電圧制御部は、前記温度センサにより検出した温度が設定値まで上昇したときに、前記電極に印加する電圧を低下させる。
【００１０】
また、この発明の第１の態様の変形例は、土壌中に挿入された複数の電極に電圧を印加することにより土壌を加熱する土壌加温装置を備えた土壌浄化装置であって、前記土壌加温装置は、前記土壌の含水率を測定する含水率センサと、前記電極に印加する電圧を制御する電圧制御部とを備え、前記電圧制御部は、前記含水率センサにより検出した土壌の含水率が設定値まで上昇したときに、前記電極に印加する電圧を低下させる。
【発明の効果】
【００１１】
この発明の態様によれば、温度センサにより温度を測定しまたは土壌の含水率を測定することにより、電極表面近傍での土壌の乾燥を未然に防止することが可能となる。このため、土壌の比抵抗の急激な増加を防止して土壌を安定して加温することができ、効率よく土壌の浄化を実行することが可能となる。
【図面の簡単な説明】
【００１２】
【図１】この発明の実施形態に係る土壌浄化装置の概要図である。
【図２】土壌中に挿入される３本の電極６１、６２、６３の配置を示す平面図である。
【図３】土壌に挿入された電極６１の縦断面図である。
【図４】図４のＡ−Ａ断面矢視図である。
【図５】電極６１の温度と、電極６１、６２、６３により囲まれる領域の土壌の温度と、電極に印加する電流との変化を経時的に示すグラフである。
【図６】電極６１の温度と、電極６１、６２、６３により囲まれる領域の土壌の温度と、電極に印加する電流との変化を経時的に示すグラフである。
【図７】この発明の実施形態の変形例に係る土壌浄化装置の概要図である。
【図８】この発明の実施形態のさらに他の変形例に係る土壌浄化装置の概要図である。
【発明を実施するための形態】
【００１３】
以下、この発明の実施の形態を図面に基づいて説明する。図１は、この発明の実施形態に係る土壌浄化装置の概要図である。
【００１４】
この土壌浄化装置は、土壌を加温する土壌加温装置として、三相交流電源１５と、三相交流電源１５の各相Φ1、Φ２、Φ３に各々接続された３本の電極６１、６２、６３と、３本の電極６１、６２、６３のうちの電極６１の温度を測定する温度センサ７３と、温度センサ７３からの信号により電極６１の温度を計測する電極温度計測器１７と、電極温度計測器１７により計測した電極６１の温度に基づいて三相交流電源１５をＯＮ／ＯＦＦするためのこの発明に係る電圧制御部としてのＯＮ／ＯＦＦ制御装置１６とを備える。
【００１５】
図２は、土壌中に挿入される３本の電極６１、６２、６３の配置を示す平面図である。
【００１６】
この図に示すように、電極６１、６２、６３は、互いに等間隔に、平面視において正三角形の頂点に相当する位置に配置される。なお、３本の電極６１、６２、６３の配置は、図２に示す配置以外であってもよい。また、電極の数は複数であればよく、３本よりさらに多くの数であってもよい。
【００１７】
図３は、土壌に挿入された電極６１の縦断面図であり、図４はそのＡ−Ａ断面矢視図である。なお、電極６２および電極６３も、温度センサ７３が省略されている点を除き、これらの図に示す電極６１と同様の構成を有する。
【００１８】
この電極６１は、導電性を有する金属性のパイプ７１と、このパイプ７１の上端付近においてその外周部を囲む筒状の非導電部材７２を備える。パイプ７１の内部には、温度センサ７３が、ケーブル７４により吊り下げられている。この電極６１における非導電部材７２に囲まれた深度領域は、電極６１に電圧が印加されても土壌に電流が流れない深度領域になり、図３において矢印で示す非導電部材７２に囲まれていない深度領域７６は、電極６１に電圧が印加されたときに土壌に電流が流れる深度領域となる。このため、この非導電部材７２により、盛り土等の汚染がほとんど存在しない深度領域や、電極間に構造物が存在する深度領域に対して電流が流れることを防止して、無駄な電気エネルギーの消費を防止することができる。
【００１９】
温度センサ７３は、電極６１における非導電部材７２に囲まれていない深度領域７６の中央部付近に配置される。温度センサ７３は、電極６１におけるパイプ７１の内周面とは非接触となっているが、パイプ７１の内部空間は気体の流れがほとんどないことから、温度センサ７３によりパイプ７１の内部雰囲気を介して電極６１におけるパイプ７１の温度を測定することができる。なお、この電極６１の温度の測定は、電極６１の温度を、電極６１におけるパイプ７１に温度センサ７３を接触させて直接的に測定するものでもよく、また、図３に示すように、電極６１の温度を、内部雰囲気等を介して間接的に測定するものでもよい。
【００２０】
次に、以上のような構成を有する土壌浄化装置により土壌を浄化するときの動作について、この発明を適用する場合と適用しない場合とを比較して説明する。図５および図６は、電極６１の温度と、電極６１、６２、６３により囲まれる領域の土壌の温度と、電極６１に印加する電流との変化を経時的に示すグラフである。なお、図５は、比較例としてのこの発明を適用しない場合を示し、図６は、この発明を適用した場合を示している。ここで、図５および図６における横軸は通電日数（日）を示し、縦軸は温度（摂氏）および電流（アンペア）を示している。これらの図に示す電流は、３本の電極６１、６２、６３の合計値を示している。そして、これらの図における破線は電流値を示し、一点鎖線は電極６１の温度を示し、実線は土壌の温度を示している。
【００２１】
図１に示すＯＮ／ＯＦＦ制御装置１６の作用により三相交流電源１５をオンとして３本の電極６１、６２、６３に電圧を印加した場合には、土壌に電流が流れ、土壌および土壌に含まれる水分がジュール熱により加熱される。図５に示す比較例の場合には、電極６１の温度が摂氏１２０度を越えて１週間程度が経過すると、電流値の急激な低下が発生している。これは、電極６１、６２、６３の近傍の土壌が乾燥したことに起因して、土壌の比抵抗が急激に増加することで、電極６１、６２、６３間に流れる電流が低下したものと推定される。このような現象が発生した場合には、土壌に対して加温に必要な電力を印加することができなくなり、土壌の温度が浄化に必要な温度にまで上昇しないという問題が生ずることが見出された。
【００２２】
このため、この実施形態に係る土壌浄化装置においては、図６に示すように、温度センサ７３により測定した電極６１の温度が摂氏１２０度となった時点で、図１に示すＯＮ／ＯＦＦ制御装置１６の作用により三相交流電源１５をオフとして、電極６１、６２、６３に印加する電圧をオフとしている。そして、三相交流電源１５をオフとすることにより電極６１の温度が摂氏１００度まで低下したら、再度、ＯＮ／ＯＦＦ制御装置１６の作用により三相交流電源１５をオンとして、電極６１、６２、６３に印加する電圧をオンとしている。このような動作を繰り返すことにより、図６に示すように、通電時の電極６１、６２、６３に流れる電流値を一定に維持することができ、土壌を浄化に必要な温度にまで上昇させることが可能となる。
【００２３】
このように、土壌の温度を上昇させることにより、土壌を浄化することが可能となる。なお、土壌の浄化をより効率的に行うため、土壌の温度が上昇した後に、土壌から脱離したＶＯＣが溶出した地下水を地上に汲み上げる揚水処理や、地下水からガス化したＶＯＣを含む地下ガスを吸引するガス吸引処理等を行うことで、ＶＯＣを土壌からより確実に除去して土壌の汚染を浄化することが可能となる。
【００２４】
なお、上述した実施の態様においては、電圧制御部としてのＯＮ／ＯＦＦ制御装置１６が、温度センサ７３により検出した電極６１の温度が第１の設定値としての摂氏１２０度まで上昇したときに、電極６１に印加する電圧をオフとし、その後、温度センサ７３により検出した電極６１の温度が第１の設定値より小さい第２の設定値としての摂氏１００度まで下降したときに、電極６１に印加する電圧をオンとしている。しかしながら、電極６１に印加する電圧をオフとした後、所定の時間が経過後に電極６１に印加する電圧をオンとしてもよい。
【００２５】
また、電極６１に印加する電圧をオン、オフ制御する代わりに、電圧を低下させ、または、上昇させるようにしてもよい。この場合においては、電極６１の温度が設定値まで上昇したときに電極６１に印加する電圧を低下させる状態を継続し、電圧を上昇させる動作を省略してもよい。なお、電圧をオフとすることは、電圧を低下させることの一つの態様であり、電圧をオンとすることは電圧を上昇させることの一つの態様である。
【００２６】
次に、この発明の実施の形態の変形例について説明する。図７は、この発明の実施形態の変形例に係る土壌浄化装置の概要図である。
【００２７】
上述した実施形態においては、３本の電極６１、６２、６３のうちの電極６１に、この電極６１の温度を測定する温度センサ７３を配設している。これに対して、この実施形態においては、３本の電極６１、６２、６３の全てに温度センサ７３が配設されている。この実施形態においては、電極６２および電極６３は、図３に示す電極６１と同様の構成を有する。
【００２８】
この土壌浄化装置は、各電極６１、６２、６３の温度を温度センサ７３で測定し、電圧の位相角制御を利用して各電極６１、６２、６３に印加する電圧を個別に制御するものである。この土壌浄化装置は、三相交流電源１５と、この三相交流電源１５の各相Φ１、Φ２、Φ３に接続された位相検出装置２５と、位相検出装置２５を介して三相交流電源１５の各相Φ１、Φ２、Φ３に各々接続されたトライアック２１、２２、２３と、電流計測装置２６とを備える。各トライアック２１、２２、２３からの電圧は、電流計測装置２６を介して各電極６１、６２、６３に印加される。
【００２９】
３本の電極６１、６２、６３に配設された温度センサ７３は、電極温度計測器１７に接続されている。この電極温度計測器１７は、ＯＮ／ＯＦＦ制御装置１６と接続されている。一方、各トライアック２１、２２、２３の各ゲートには、電圧制御装置３３におけるゲート信号生成部３１が接続されている。このゲート信号生成部３１は、ＯＮ／ＯＦＦ制御装置１６からの信号を受けてタイミング信号を生成するタイミング制御部３２と接続されている。
【００３０】
このような構成においては、各電極６１、６２、６３間の土壌の抵抗値が異なる場合に、その抵抗値に応じた電圧を印加することが可能となる。すなわち、各電極６１、６２、６３に対して三相交流電源１５の各相を接続し、互いに１２０度位相のずれた電圧を印加すると、各電極６１、６２、６３間に同じ大きさの電圧が印加される。これに対して、タイミング制御部３２によりゲート信号生成部３１から各トライアック２１、２２、２３に送信するゲート信号を制御することにより、各トライアック２１、２２、２３がオンとなる位相位置を変更することで、各電極６１、６２、６３間に異なる大きさの電圧を印加することが可能となる。このため、各電極６１、６２、６３間の土壌の抵抗値が異なり、それによって各電極６１、６２、６３に流れる電流が変化した場合に、この電流値の変化を電流計測装置２６で検出して、各電極６１、６２、６３に印加する電圧を変更することにより、各電極６１、６２、６３に必要な大きさの電流を流すことが可能となる。
【００３１】
そして、この実施形態に係る土壌浄化装置においては、各電極６１、６２、６３における温度センサ７３により測定したいずれかの電極６１、６２、６３の温度が摂氏１２０度となった時点で、図７に示すＯＮ／ＯＦＦ制御装置１６の作用によりいずれかのトライアック２１、２２、２３に送信するゲート信号を停止して、温度が上昇した電極６１、６２、６３への電圧の供給を停止する。そして、電圧の供給を停止した電極６１、６２、６３の温度が摂氏１００度まで低下したら、再度、トライアック２１、２２、２３へのゲート信号の送信を再開して、電力の供給を停止した電極６１、６２、６３への電圧の供給を再開する。
【００３２】
このような動作を繰り返すことにより、図１に示す実施形態の場合と同様、図６に示すように、通電時の電極６１、６２、６３に流れる電流値を必要な値に維持することができ、土壌を浄化に必要な温度にまで上昇させることが可能となる。
【００３３】
なお、図７に示す実施形態においては、３本の電極６１、６２、６３を使用しているが、より多数の電極を使用してもよい。このような場合において、全ての電極に温度センサ７３を配設する必要はない。例えば、２０本の電極を使用する場合に、それらのうちの１０本にのみ温度センサ７３を配設してもよい。また、３０本の電極を使用する場合において、互いに近接配置される３本毎に、１０個の温度センサ７３を配設してもよい。
【００３４】
また、図７に示す実施形態においては、電圧の位相角制御を利用して電極６１、６２、６３に印加する電圧を制御しているが、サイクル制御やＰＷＭ制御等の、その他の制御方式により電極６１、６２、６３に印加する電圧を制御してもよい。
【００３５】
次に、この発明の実施の形態のさらに他の変形例について説明する。図８は、この発明の実施形態のさらに他の変形例に係る土壌浄化装置の概要図である。なお、図１に示す実施形態と同様の部材については、同一の符号を付して詳細な説明を省略する。
【００３６】
図１に示す土壌浄化装置においては、温度センサ７３により測定した電極６１の温度に基づいて三相交流電源１５をＯＮ／ＯＦＦする構成を採用している。これに対して、この実施形態に係る土壌浄化装置においては、含水率センサ７９により測定した土壌の含水率に基づいて三相交流電源１５をＯＮ／ＯＦＦする構成を採用している。
【００３７】
ここで、この明細書における含水率とは、土壌に含まれる水分の割合を示すものである。含水率センサ７９は、土壌水分センサとも呼称されて一般に販売されているものであり、土壌の誘電率、静電容量、熱伝導率、電気伝導度等の各種の指標により土壌に含まれる水分の割合を検出する構成を有する。
【００３８】
この実施形態に係る土壌浄化装置においては、含水率センサ７９により測定した土壌の含水率が予め設定した第１の設定値まで下降した時点で、図８に示すＯＮ／ＯＦＦ制御装置１６の作用により三相交流電源１５をオフとして、電極６１、６２、６３に印加する電圧をオフとしている。そして、三相交流電源１５をオフとすることにより周囲の領域から土壌に水分が供給され、含水率センサ７９により測定した土壌の含水率が第１の設定値より大きい第２の設定値まで上昇したら、再度、ＯＮ／ＯＦＦ制御装置１６の作用により三相交流電源１５をオンとして、電極６１、６２、６３に印加する電圧をオンする。
【００３９】
このような動作を繰り返すことにより、図１に示す実施形態の場合と同様、電極６１、６２、６３の表面近傍での土壌の乾燥を未然に防止することができる。このため、土壌の比抵抗の急激な増加を防止し、これにより、通電時の電極６１、６２、６３に流れる電流値を一定に維持することがでる。従って、土壌を浄化に必要な温度にまで上昇させることが可能となる。
【００４０】
なお、含水率センサ７９は、電極６１の表面近傍の土壌の乾燥を未然に防止するという観点から、電極６１の表面近傍に配置することが好ましい。しかしながら、電極６１から離隔した位置に含水率センサ７９を配置し、その位置の含水率に基づいて電極６１の表面付近の含水率を推測するようにしてもよい。
【００４１】
また、図８に示す実施形態においては、図１に示す実施形態における温度センサ７３を含水率センサ７９に変更した構成を有するが、図７に示す実施形態における電極６１、６２、６３に各々配設された３個の温度センサ７３を、３個の含水率センサ７９に変更してもよい。
【００４２】
上述した複数の例示的な実施形態は、以下の態様の具体例であることが当業者により理解される。
【００４３】
（第１項）
土壌中に挿入された複数の電極に電圧を印加することにより土壌を加熱する土壌加温装置を備えた土壌浄化装置であって、前記土壌加温装置は、
前記電極に設けられた温度センサと、
前記電極に印加する電圧を制御する電圧制御部とを備え、
前記電圧制御部は、前記温度センサにより検出した温度が設定値まで上昇したときに、前記電極に印加する電圧を低下させる。
【００４４】
第１項に記載の土壌浄化装置によれば、電極に設けられた温度センサで温度を測定することにより、電極表面近傍での土壌の乾燥を未然に防止することが可能となる。このため、土壌の比抵抗の急激な増加を防止して土壌を安定して加温することができ、効率よく土壌の浄化を実行することが可能となる。
【００４５】
（第２項）
第１項に記載の土壌浄化装置において、
前記電圧制御部は、前記電極に印加する電圧を低下させた後、上昇させる。
【００４６】
第２項に記載の土壌浄化装置によれば、土壌の加熱を継続して実行することが可能となる。
【００４７】
（第３項）
第２項に記載の土壌浄化装置において、
前記電圧制御部は、前記温度センサにより検出した温度が設定値まで上昇したときに、前記電極に印加する電圧をオフとした後、再度、オンとする。
【００４８】
第３項に記載の土壌浄化装置によれば、電源のオン／オフにより電極表面付近での土壌の乾燥を未然に防止することが可能となる。
【００４９】
（第４項）
第３項に記載の土壌浄化装置において、
前記電圧制御部は、前記温度センサにより検出した温度が第１の設定値まで上昇したときに、前記電極に印加する電圧をオフとし、前記電極に印加する電圧をオフとした後、前記温度センサにより検出した温度が前記第１の設定値より小さい第２の設定値まで下降したときに、前記電極に印加する電圧をオンとする。
【００５０】
第４項に記載の土壌浄化装置によれば、温度に基づいて電源のオン／オフを管理することにより電極表面付近での土壌の乾燥を未然に防止することが可能となる。
【００５１】
（第５項）
土壌中に挿入された複数の電極に電圧を印加することにより土壌を加熱する土壌加温装置を備えた土壌浄化装置であって、前記土壌加温装置は、
前記土壌の含水率を測定する含水率センサと、
前記電極に印加する電圧を制御する電圧制御部とを備え、
前記電圧制御部は、前記含水率センサにより検出した土壌の含水率が設定値まで下降したときに、前記電極に印加する電圧を低下させる。
【００５２】
第５項に記載の土壌浄化装置によれば、土壌の含水率を測定することにより、電極表面近傍での土壌の乾燥を未然に防止することが可能となる。このため、土壌の比抵抗の急激な増加を防止して土壌を安定して加温することができ、効率よく土壌の浄化を実行することが可能となる。
【００５３】
（第６項）
第５項に記載の土壌浄化装置において、
前記電圧制御部は、前記電極に印加する電圧を低下させた後、上昇させる。
【００５４】
第６項に記載の土壌浄化装置によれば、土壌の加熱を継続して実行することが可能となる。
【００５５】
（第７項）
第６項に記載の土壌浄化装置において、
前記電圧制御部は、前記含水率センサにより検出した土壌の含水率が設定値まで下降したときに、前記電極に印加する電圧をオフとした後、再度、オンとする。
【００５６】
第７項に記載の土壌浄化装置によれば、電源のオン／オフにより電極表面付近での土壌の乾燥を未然に防止することが可能となる。
【００５７】
（第８項）
第７項に記載の土壌浄化装置において、
前記電圧制御部は、前記含水率センサにより検出した土壌の含水率が第１の設定値まで下降したときに、前記電極に印加する電圧をオフとし、前記電極に印加する電圧をオフとした後、前記含水率センサにより検出した土壌の含水率が前記第１の設定値より大きい第２の設定値まで上昇したときに、前記電極に印加する電圧をオンとする。
【００５８】
第８項に記載の土壌浄化装置によれば、含水率に基づいて電源のオン／オフを管理することにより電極表面付近での土壌の乾燥を未然に防止することが可能となる。
【００５９】
（第９項）
土壌中に挿入された複数の電極に電圧を印加することにより土壌を加熱する工程を含む土壌浄化方法であって、前記土壌を加熱する工程は、
前記電極の温度を測定する温度測定工程と、
前記温度測定工程において測定した前記電極の温度が設定値まで上昇したときに、前記電極に印加する電圧を低下させる電圧制御工程と、
を含む。
【００６０】
（第１０項）
土壌中に挿入された複数の電極に電圧を印加することにより土壌を加熱する工程を含む土壌浄化方法であって、前記土壌を加熱する工程は、
前記土壌の含水率を測定する含水率測定工程と、
前記含水率測定工程において測定した土壌の含水率が設定値まで下降したときに、前記電極に印加する電圧を低下させる電圧制御工程と、
を含む。
【００６１】
第９項および第１０項に記載の土壌浄化装置によれば、電極の温度または土壌の含水率を測定することにより、電極表面近傍での土壌の乾燥を未然に防止することが可能となる。このため、土壌の比抵抗の急激な増加を防止して土壌を安定して加温することができ、効率よく土壌の浄化を実行することが可能となる。
【００６２】
なお、上述した記載はこの発明の実施形態の説明のためのものであり、この発明を限定するものではない。
【符号の説明】
【００６３】
１５      三相交流電源
１６      ＯＮ／ＯＦＦ制御装置
１７      電極温度計測器
２１      トライアック
２２      トライアック
２３      トライアック
３１      ゲート信号生成部
３２      タイミング制御部
３３      電圧制御装置
６１      電極
６２      電極
６３      電極
７１      パイプ
７２      非導電性部材
７３      温度センサ
７４      ケーブル
７９      含水率センサ
【図１】
2020185554.tif 000003
【図２】
2020185554.tif 000004
【図３】
2020185554.tif 000005
【図４】
2020185554.tif 000006
【図５】
2020185554.tif 000007
【図６】
2020185554.tif 000008
【図７】
2020185554.tif 000009
【図８】
2020185554.tif 000010